(57)【要約】【課題】正規実装方向と異なる方向には差し込み不可能である制御素子を提供する。【解決手段】ＣＰＵ１は、集積回路等を内蔵した略直方体の本体部分２と、その長辺両側部に多数配設された鉤型の端子３，３・・とからなる。本体部分２短辺の一側面には窪み４が刻設されている。そして本体部分２の裏面側（制御基板側）の中央より窪み４寄りには、端子３，３・・より長い円柱状の突起５が突設されている。一方制御基板６には、端子３，３・・に対応する位置に接続口９，９・・が穿設された梯子状のソケット７が設置されている。そして、突起５に対応する位置に逃げ口８が穿設されている。【選択図】図２
2009254900.tif 000002
【特許請求の範囲】
【請求項１】
遊技機の制御基板上に実装される制御素子であって、本体部分に、端子が中心に関して非点対称となるように配設されていることを特徴とする遊技機の制御素子。
【請求項２】
遊技機の制御基板上に実装される制御素子であって、本体部分に、他の端子と形状の異なる端子が少なくとも１つ、中心に関して非点対称となるように配設されていることを特徴とする遊技機の制御素子。
【発明の詳細な説明】
【技術分野】
【０００１】
本発明は、パチンコ機をはじめとする遊技機に内蔵されている制御素子に関する。
【背景技術】
【０００２】
遊技機の一種であるパチンコ機には遊技内容を制御する制御装置が内蔵されており、その中には情報を処理する制御素子（ＣＰＵ・ＲＯＭ等）が実装されている。その実装手段として図１３に示すように、制御素子９０の端子９１，９１・・をソケット（端子９１，９１・・に対応する接続口９２，９２・・をもつ梯子状部材）９３に差し込み実装する方法が一般的である。  
【先行技術文献】
【特許文献】
【０００３】
【特許文献１】平成９年特許願第３３６１５３号
【発明の概要】
【発明が解決しようとする課題】
【０００４】
しかしながら従来の制御素子９０は、端子９１，９１・・の配置及び形状が中心に関して点対称に形成されているので、正規方向と逆方向に差し込むことが可能である。もし誤って逆方向に差し込んで通電すると、制御素子９０のみならず制御装置全体を破損してしまうおそれがある。遊技機の制御装置においては特に制御素子９０の一種であるＣＰＵ（中央処理装置）がたびたびチェックされるため、この差し込みミスが問題となる。
【０００５】
本発明は、そのような差し込みミスが起こらないような遊技機の制御素子を提供することを目的とするものである。
【課題を解決するための手段】
【０００６】
上記の目的を達成するため請求項１に記載の発明は、制御素子の本体部分に、端子を中心に関して非点対称となるように配設することによって逆方向に差し込み不可としたものである。
【０００７】
請求項２に記載の発明は、制御素子の本体部分に、他の端子と形状の異なる端子を少なくとも１つ、中心に関して非点対称となるように配設することによって逆方向に差し込み不可としたものである。
【０００８】
加えて、制御素子は、本体部分の裏面側に、突起が中心に関して非点対称に突設されているものとし、正規実装方向と逆方向に差し込み不可とすることも可能である。
【発明の効果】
【０００９】
本発明によって、遊技機の制御装置に実装する制御素子を、誤って逆方向に差し込んで通電し、制御装置の一部または全体を破損してしまうという事態を未然に防ぐことができる。
【図面の簡単な説明】
【００１０】
【図１】本発明に係る制御素子であるＣＰＵおよびソケットの斜視図である。
【図２】ＣＰＵが制御基板に実装される状況を示す説明図である。
【図３】ＣＰＵが制御基板に実装される状況を示す説明図である。
【図４】ＣＰＵを収納するケースの斜視説明図およびその拡大図である。
【図５】ＣＰＵおよびソケットの斜視図である。
【図６】ＣＰＵが制御基板に実装される状況を示す説明図である。
【図７】ＣＰＵが制御基板に実装される状況を示す説明図である。
【図８】ＣＰＵを収納するケースの斜視説明図およびその拡大図である。
【図９】ＣＰＵおよびソケットの斜視図である。
【図１０】ＣＰＵが制御基板に実装される状況を示す説明図である。
【図１１】ＣＰＵが制御基板に実装される状況を示す説明図である。
【図１２】ＣＰＵを収納するケースの斜視説明図である。
【図１３】従来のＣＰＵおよびソケットの斜視図である。
【発明を実施するための形態】
【００１１】
［発明の実施の形態１］
以下、本発明に係る制御素子について図面に基いて説明する。図１（Ａ）は制御素子の一種であるＣＰＵ１の斜視図であり、図１（Ｂ）はソケット７の斜視図である。図２および図３はＣＰＵ１が制御基板６に実装される状況を示す説明図である。ＣＰＵ１は、集積回路等を内蔵した略直方体の本体部分２と、その長辺両側部に多数配設された鉤型の端子３，３・・とからなる。本体部分２短辺の一側面には窪み４が刻設されている。そして本体部分２の裏面側（制御基板側）の、中央より窪み４寄りには端子３，３・・より長い円柱状の突起５が突設されている。
【００１２】
一方、制御基板６にはソケット７が設置されているとともに、突起５に対応する位置に逃げ口８が穿設されている。ソケット７は梯子状を呈し、その長辺表側には端子３，３・・に対応する接続口９，９・・が穿設されている。接続口９，９・・の裏側にはピン１０，１０・・が垂設されており、制御基板６を貫通して裏面ではんだ付けされている。制御基板６にはその表裏面に回路網（図示せず）が張りめぐらされているので、図３に示すようにＣＰＵ１を正規方向で実装すると、端子３，３・・と、ピン１０，１０・・と、および制御基板６上の回路（図示せず）とが電気的に接触し、他の制御素子と情報伝達がなされる。このように構成されたＣＰＵ１は、正規方向ならば突起５は逃げ口８に入って差し込み可能であるが、逆方向では突起５が制御基板６につかえて差し込めず実装できない。
【００１３】
図４はＣＰＵ１の収納ケース１１の斜視図およびその拡大図である。ＣＰＵ１は、筒状で断面略凹型（ただし中央は仕切られていない）を呈した樹脂製の収納ケース１１に、縦一列に収納可能となっている。収納ケース１１の両端にはストッパー１２が着脱自在に設けられている。
【００１４】
ＣＰＵ１は点検のためたびたび脱着することがあるが、上記実施形態１の構成を採用すれば正規方向以外には差し込み不可能であるから、誤って逆方向に差し込んで通電し制御装置を破損してしまうようなことは起こらない。また、ケース１１に収納されたＣＰＵ１は突起５を持ってスライドさせることができるので扱いやすい上に、突出した突起５を見ればケース１１内のＣＰＵ１の残数がすぐにわかる。
【００１５】
［発明の実施の形態２］
図５（Ａ）は本発明に係る制御素子の一種である別のＣＰＵ１３の斜視図であり、図５（Ｂ）はソケット１８の斜視図である。図６および図７はＣＰＵ１３が制御基板１７に実装される状況を示す説明図である。ＣＰＵ１３は、集積回路等を内蔵した略直方体の本体部分１４と、その長辺両側部に多数配設された鉤型の端子１５，１５・・と、および短辺の一側部に設けられた、前記端子１５，１５・・よりも幅広い一対の大端子１６，１６とからなる。
【００１６】
一方、制御基板１７にはソケット１８が設置されている。ソケット１８は梯子状を呈し、その長辺表側には端子１５，１５・・に対応する接続口１９，１９・・が、またソケット１８の短辺表側には大端子１６，１６に対応する接続口２０，２０が、それぞれ穿設されている。各接続口１９，１９・・、２０，２０の裏側にはピン２１，２１・・が垂設されており、制御基板１７を貫通して裏面ではんだ付けされている。制御基板１７にはその表裏面に回路網（図示せず）が張りめぐらされているので、図７に示すようにＣＰＵ１３を正規方向で実装すると、端子１５，１５・・と、大端子１６，１６と、ピン２１，２１・・と、および制御基板１７上の回路（図示せず）とが電気的に接触し、他の制御素子と情報伝達がなされる。このように、大端子１６，１６および接続口２０，２０はＣＰＵ１３およびソケット１８の一側部だけに設けられたものであるから、ＣＰＵ１３は逆方向には差し込めず実装できない。
【００１７】
図８はＣＰＵ１３の収納ケース２２の斜視図およびその拡大図である。ＣＰＵ１３は筒状の収納ケース２２に縦一列に収納可能となっている。収納ケース２２の両端にはストッパー２３が着脱自在に設けられている。
【００１８】
ＣＰＵ１３は点検のためたびたび脱着することがあるが、上記実施形態２の構成を採用すれば正規方向以外には差し込み不可能であるから、誤って逆方向に差し込んで通電し制御装置を破損してしまうようなことは起こらない。
【００１９】
［発明の実施の形態３］
図９（Ａ）は本発明に係る制御素子の一種であるさらに別のＣＰＵ２４の斜視図であり、図９（Ｂ）はソケット２８の斜視図である。図１０および図１１はＣＰＵ２４が制御基板２７に実装される状況を示す説明図である。ＣＰＵ２４は、集積回路等を内蔵した台形の本体部分２５と、その斜辺両側部に多数配設された鉤型の端子２６，２６・・とからなる。
【００２０】
制御基板２７にはソケット２８が設置されている。ソケット２８は台形で梯子状を呈し、その斜辺表側には端子２６，２６・・に対応する接続口２９，２９・・が穿設されている。接続口２９，２９・・の裏側にはピン３０，３０・・が垂設されており、制御基板２７を貫通して裏面ではんだ付けされている。制御基板２７にはその表裏面に回路網（図示せず）が張りめぐらされているので、図１１に示すようにＣＰＵ２４を正規方向で実装すると、端子２６，２６・・と、ピン３０，３０・・と、および制御基板２７上の回路（図示せず）とが電気的に接触し、他の制御素子と情報伝達がなされる。このように、本体部分２５およびそれに対応するソケット２８は台形であるから、ＣＰＵ２４は逆方向には差し込めず実装できない。
【００２１】
図１２はＣＰＵ２４の収納ケース３１の斜視図である。収納ケース３１は外箱３２と内箱３３とからなり、両者は摺動してマッチ箱様の形態となっている。内箱３３には、台形のＣＰＵ２４を横姿勢に交互に並べられるようにジグザグに溝３４が設けられている。
【００２２】
ＣＰＵ２４は点検のためたびたび脱着することがあるが、上記実施形態３の構成を採用すれば正規方向以外には差し込み不可能であるから、誤って逆方向に差し込んで通電し制御装置を破損してしまうようなことは起こらない。また、箱様の収納ケース３１を採用すれば、台形のＣＰＵ２４をコンパクトに保管できる。
【００２３】
なお、本発明の制御素子は上記実施形態１乃至３に何ら限定されるものではなく、本体部分の形状、端子の形状や数、突起の形状や配置、制御基板、ソケット、接続口、ピン、収納ケースの材質・形状、ストッパー、など、本発明の趣旨に逸脱しない範囲で適宜変更できる。また、上記実施形態１乃至３ではいずれもＣＰＵに本発明を実施した場合について説明したが、勿論ＲＯＭその他の制御素子にも適用できる。
【符号の説明】
【００２４】
１・・ＣＰＵ（中央処理装置）
２・・本体部分
３・・端子
４・・窪み
５・・突起
６・・制御基板
７・・ソケット
８・・逃げ口
９・・接続口
１０・・ピン
１１・・収納ケース
１２・・ストッパー
１３・・ＣＰＵ
１４・・本体部分
１５・・端子
１６・・大端子
１７・・制御基板
１８・・ソケット
１９・・接続口
２０・・接続口
２１・・ピン
２２・・収納ケース
２３・・ストッパー
２４・・ＣＰＵ
２５・・本体部分
２６・・端子
２７・・制御基板
２８・・ソケット
２９・・接続口
３０・・ピン
３１・・収納ケース
３２・・外箱
３３・・内箱
３４・・溝
【図１】
2009254900.tif 000003
【図２】
2009254900.tif 000004
【図３】
2009254900.tif 000005
【図４】
2009254900.tif 000006
【図５】
2009254900.tif 000007
【図６】
2009254900.tif 000008
【図７】
2009254900.tif 000009
【図８】
2009254900.tif 000010
【図９】
2009254900.tif 000011
【図１０】
2009254900.tif 000012
【図１１】
2009254900.tif 000013
【図１２】
2009254900.tif 000014
【図１３】
2009254900.tif 000015